(57)【要約】【課題】排気ターボ過給機において、個体差を生じさせることなく、タービンとタービン室との間のクリアランスを最小限度に保持する。【解決手段】タービンハウジング４と軸受けハウジング６とは、アルミの鋳造品として一体化している。タービン１は回転軸２の一端部に固定されており、回転軸２は、フローティングメタル８を介して回転自在に保持されている。タービン１は硬い合金製であり、多数枚のブレード２６を有している。ブレード２６の外端に、タービン室５を切削可能な鋭角部２７を形成している。回転軸２は僅かながら振れ動くため、タービン１でタービン室５の内周面が切削されて、ブレード２６とタービン室５との間のクリアランスを必要最小限度に形成できる。【選択図】図３
2018071410.tif 000002
【特許請求の範囲】
【請求項１】
回転軸の一端部に固定されたタービンと、前記タービンが回転自在に配置されたタービン室とを有し、前記回転軸は軸受けハウジングに回転自在に保持されて、前記タービン室はタービンハウジングに設けており、前記タービンを構成するブレードの外縁とタービン室との間には僅かのクリアランスを設けている構成であって、
前記タービンハウジングのうち少なくともタービン室は前記タービンよりも柔らかい金属で形成されている一方、
前記タービンを構成するブレードのうち前記タービン室と対向した外縁に、軸心方向から見て回転方向に前向きに尖った鋭角部を形成している、
排気ターボ過給機。
【請求項２】
前記タービン室を含むタービンハウジングと前記軸受けハウジングとは、アルミ製の鋳造品として一体化されている一方、
前記タービンは、アルミよりも遥かに高い硬度の合金製である、
請求項１に記載した排気ターボ過給機。
【発明の詳細な説明】
【技術分野】
【０００１】
本願発明は、自動車用等の内燃機関に装備する排気ターボ過給機に関するものである。
【背景技術】
【０００２】
排気ターボ過給機は、排気ガスで駆動されるタービンによってコンプレッサを回転させるものであり、タービンとコンプレッサとは回転軸によって連結されている。回転軸は、一般に、フローティングメタルを介して軸受けハウジングで回転自在に保持されており、従って、タービンとコンプレッサは、軸心がごく僅かに振れ動いている。
【０００３】
そして、タービンは多数枚のブレードを有している一方、タービンハウジングのうちタービンの外周外側には渦状のスクロール部が形成されており、スクロール部に周方向から流入した排気ガスがブレードに当たることによってタービンを回転駆動しており、仕事をした排気ガスは、タービンの回転軸心方向に排出される。
【０００４】
このように、タービンは排気ガスの流れに晒されて回転するものであるため、排気ガスの運動エネルギをタービンの回転トルクとして有効利用するためには、排気ガスを逃がすことなくタービンのブレードに当てることが重要であり、従って、タービンとタービン室との間のクリアランスは、タービンの回転を阻害しない範囲で、できるだけ小さいのが好ましい。
【０００５】
このタービンとタービン室との間のクリアランスの管理は、排気ターボ過給機の性能を左右する重要な要素であるが、タービンハウジングが排気ガスによって熱膨張すると、クリアランスの大きさも変化することになる。そこで、特許文献１には、タービンハウジングをアルミ製とすると共に、タービンハウジングに冷却水ジャケットを設けて、冷却水ジャケットへの冷却水の供給を制御してタービンハウジングの熱膨張を制御することにより、タービンとタービン室との間のクリアランスを一定化することが開示されている。
【先行技術文献】
【特許文献】
【０００６】
【特許文献１】特開２００８−１９７１１号公報
【発明の概要】
【発明が解決しようとする課題】
【０００７】
特許文献１は、実際にどの程度の効果を期待できるのか定かでないが、まず、構造が著しく複雑になるという問題がある。また、特許文献１は、タービンとタービン室との間のクリアランスが適正な値に設定されていることを前提にしているが、組み付けの誤差等により、タービンとタービン室との間のクリアランスは各過給機ごとに個体差が存在しており、この個体差が個々の排気ターボ過給機の性能を左右させている。従って、現実的には、個体差を無くして、クリアランスを必要最小限度に保持することが重要である。
【０００８】
このような個体差の是正手段として、タービン室の内面に柔らかい素材製の調整層を溶射によって形成し、排気ターボ過給機の運転によって調整層の表面部をタービンで除去することが行われている。つまり、既述のように、タービンが若干ながら振れ動いて回転することを利用して、調整層の内径を小さ目に設定しておくことにより、タービンの回転によって調整層を部分的に削除（研削）するものであり、この方法では、個体差を吸収して、タービンとタービン室との間のクリアランスを必要最小限度にできるといえる。
【０００９】
しかし、この方法では、調整層を適切な厚さに溶射するのに手間がかかるため、製造コストが嵩むという問題がある。また、排気ターボ過給機を使用しているうちに調整層が剥がれると、クリアランスが大きくなり過ぎて排気ターボ過給機の性能が大幅にダウンしてしまう問題もある。更に、この方法はタービンには特段の加工は施していないため、タービンハウジングの端面がタービン室の内周面に面接触することが有り得るが、すると、ブレードに大きな曲げ力が作用して、ブレードが変形した折損したりする可能性もある。
【００１０】
本願発明はこのような現状に鑑み成されたものであり、簡単な構造で適切なクリアランスを確保できる技術を実現しようとするものである。
【課題を解決するための手段】
【００１１】
本願発明は、請求項１のとおり、回転軸の一端部に固定されたタービンと、前記タービンが回転自在に配置されたタービン室とを有し、前記回転軸は軸受けハウジングに回転自在に保持されて、前記タービン室はタービンハウジングに設けており、前記タービンを構成するブレードの外縁とタービン室との間には僅かのクリアランスを設けている構成であって、
前記タービンハウジングのうち少なくともタービン室は前記タービンよりも柔らかい金属で形成されている一方、前記タービンを構成するブレードのうち前記タービン室と対向した外縁に、軸心方向から見て回転方向に前向きに尖った鋭角部を形成している。
【００１２】
請求項１の好適な展開例として請求項２では、前記タービン室を含むタービンハウジングと前記軸受けハウジングとは、アルミ製の鋳造品として一体化されている一方、前記タービンは、アルミよりも遥かに高い硬度の合金製になっている。
【００１３】
請求項２を更に具体化すると、アルミとしては、例えばＪＩＳで規定するＡＣ２ＣやＡＣ４Ｂ、ＡＣ４Ｄが挙げられる。他方、タービンの素材としては、Ｎｉ系等の耐熱硬質合金（例えばインコネル（登録商標）の７１３Ｃ）が挙げられる。
【発明の効果】
【００１４】
本願発明は、ブレードの鋭角部が切り刃として機能するため、タービン室を、タービンの回転は許容しつつ小さ目の寸法に設定しておくと、内燃機関の運転に伴ってタービンが極く僅かに振れながら回転することにより、タービンの各ブレードがタービン室の内周面にまんべん無く当たっていき、すると、ブレードの群によってタービン室が微量ずつ削り取られていき、やがて、タービン室の内周は適正な寸法に保持される。
【００１５】
つまり、タービン室をタービンで微量ずつ切削することにより、タービン室を、タービンとしっくりと馴染む最小限度の寸法に保持できるのであり、これにより、個体差を無くして、個々の排気ターボ過給機ごとに、タービンとタービン室との間に適切なクリアランスを確保できる。
【００１６】
そして、本願発明では、タービン室自体を寸法調整するものであり、溶射のような加工は不要であるため、加工コストのアップは生じない。また、複雑な制御は不要であるため、排気ターボ過給機の全体としての構造が複雑化することもない。更に、タービン室をタービンで寸法調整するものであるから、調整層の剥離のような問題は皆無であり、複雑な制御が不要であることと相まって、高い信頼性を確保できる。
【００１７】
また、タービンのブレードは鋭角部によって切削機能を発揮するが、タービン室の内周面と接触しない逃がし面を形成することで鋭角部が形成されるものであるから、ブレードの端面がタービン室と面接触することはなく、従って、ブレードがタービン室５の内周面に当たっても、強い曲げ力が作用することは無くて、ブレードの折損や変形も防止できる。この面でも、高い信頼性を確保できる。
【００１８】
請求項２のようにタービンハウジングと軸受けハウジングとを一体化すると、これらを別体で作って組み付ける場合と比較して、組み付けによるばらつきが無い分だけタービンハウジングと軸受けハウジングとの寸法精度が高くなるため、タービンによるタービン室の切削量も少なくなる。その結果、切削時に加わる外力によりタービンが大きく変形するようなこともない。これにより、排気ガスの漏れを抑えて過給性能を向上できる。
【００１９】
また、タービン室を含むタービンハウジングと軸受けハウジングとは一体化しているため、排気ターボ過給機の組み立ての手間を抑制できる。更に、タービンは耐熱性に優れた合金製であって非常に硬い一方、アルミは、例えば鋼に比べても硬度が遥かに低いため、タービンによる切削を確実化できる。
【図面の簡単な説明】
【００２０】
【図１】実施形態に係る排気ターボ過給機の縦断正面図である。
【図２】（Ａ）は一部を分離した縦断正面図、（Ｂ）はタービンの側面図、（Ｃ）はタービンの正面図である。
【図３】（Ａ）は要部の拡大正面図、（Ｂ）は（Ａ）のＢ−Ｂ視断面図である。
【図４】他の実施形態を示す図であり、（Ａ）は要部の縦断正面図、（Ｂ）は（Ａ）のＢ−Ｂ視断面図、（Ｃ）は別例図である。
【発明を実施するための形態】
【００２１】
(1).第１実施形態の概要
次に、本願発明の実施形態を図面に基づいて説明する。本実施形態では、方向を明確にするため前後・左右の文言を使用するが、これは、回転軸の長手方向を左右方向として、これと直交した水平方向を前後方向としている。まず、図１〜３に示す第１実施形態を説明する。
【００２２】
図１に示すように、排気ターボ過給機は、排気ガスで回転駆動されるタービン１を備えており、タービン１は、回転軸２の一端部に強制嵌合によって固定されている。回転軸２の他端部には、コンプレッサ３がナットで固定されている。
【００２３】
タービン１は、タービンハウジング４に形成されたタービン室５に配置されており、他方、回転軸２は、軸受けハウジング６に形成された軸受け部７に、フローティングメタル８を介して回転自在に保持されている。本実施形態では、タービンハウジング４と軸受けハウジング６とは、アルミの鋳造によって一体に製造されている。
【００２４】
タービンハウジング４には、タービン室５の外周部に連通したタービン側スクロール空間９が形成されており、タービン側スクロール空間９を挟んだ左右両側に、冷却水ジャケット１０が形成されている。タービン側スクロール空間９には、その上部に紙面の奥側から排気ガスが流入する。従って、タービンハウジング４は、紙面と略直交した姿勢の排気ガス導入通路を有しており、この排気ガス導入通路は入口筒部で囲われているが、冷却水ジャケット１０は入口筒部にも延びていて、その後端は入口筒部の後端に開口している。
【００２５】
タービンハウジング４のタービン室５には、タービン１を駆動した排気ガスが排出される排気出口１１が連通しており、排気出口１１は軸方向に開口している。排気出口１１の端面部に、触媒ケースや排気管が接続される。
【００２６】
軸受け部７の上部には、上下方向に貫通したオイル入口１２が形成されている。また、軸受け部７の下方には、空洞状のオイル出口空間１３が形成されている。更に、軸受け部７の左右両側方には、空洞部１４が形成されており、空洞部１４は、オイル出口空間１３と連通している。
【００２７】
コンプレッサ３は、インナーケース１５を介してコンプレッサハウジング１６の内部に配置されており、コンプレッサ３の外周外側には、コンプレッサ側スクロール部１７が形成されている。吸気は、コンプレッサハウジング１６に軸方向から流入して、コンプレッサ側スクロール部１７の外周方向（接線方向）に排出される。コンプレッサハウジング１６は軸受けハウジング６の端部に外側から嵌まっており、両者は、Ｃ形のストッパーリング１８を介して抜け不能に連結されている。
【００２８】
軸受け部７のうちコンプレッサハウジング１６の側の端部には、金属製の第１オイルシール１９を固定している。なお、第１オイルシール１９の断面表示（ハッチング）は省略している。また、軸受けハウジング６の左端部にはリテーナリング２０が固定されており、リテーナリング２０と第１オイルシール１９との間には、第２オイルシール２１が介在している。
【００２９】
回転軸２のうちタービンハウジング４の内周穴２２に嵌まっている部分は、フローティングメタル８に嵌まっている部分よりも大径になっており、この大径部に複数の環状溝２３を形成して、環状溝２３にオイルシール２４を装着している。そして、タービン１の中心穴２５に、回転軸２の一端部２ａが焼き嵌め等の強制嵌合によって固定されている。回転軸２とタービンハウジング４の内周穴２２との間には、ごく僅かながら隙間が存在しており、回転軸２が僅かに振れ動くことを許容している。
【００３０】
(2).タービン
タービン１は、多数枚（複数枚）のブレード２６を有している。各ブレード２６は、軸心に対してねじれた姿勢になっており、かつ、図３（Ｂ）に示すように、放射方向の外側に行くに従って回転方向にずれるように傾斜している。すなわち、各ブレード２６は、回転軸心方向から見て、回転方向の側に前倒れした姿勢になっている。
【００３１】
本実施形態では、タービンハウジング４と軸受けハウジング６とが一体化しているため、回転軸２及びタービン１は、排気出口１１の側からタービン室５に嵌め込む必要がある。そこで、タービン室５の外周はストレート状に形成されて、タービン１を構成するブレード２６の外端面２６ａも、回転軸心と平行に形成されている。
【００３２】
そして、各ブレード２６においてタービン室５の内周面と対向した外縁（自由端）に、回転軸心方向から見て回転方向に向けて尖った鋭角部（切り刃）２７を形成している。従って、ブレード２６の外端面２６ａは、回転軸心方向から見て、回転方向に行くに従ったる軸心から遠ざかる傾斜面になっている。
【００３３】
つまり、本実施形態では、ブレード２６を前倒れ状態に傾斜させると共に、外端面２６ａを傾斜させることにより、各ブレード２６の外縁に鋭角部２７を形成している。ブレード２６が前倒れせずに放射方向に延びた姿勢の場合は、外端面２６ａを傾斜させることのみによって鋭角部２７を形成したらよい。
【００３４】
排気ターボ過給機の出荷時点では、タービン室５の内径は、タービン１を回転自在に嵌め込みできる程度の最小限度に設定している。そして、回転軸２は、焼き付け防止のために、ごく僅かの半径ｅだけ振れ動くように設定しているため、内燃機関の回転に伴ってタービン１が駆動されると、各ブレード２６の鋭角部２７がタービンハウジング４のタービン室５に不規則に当たり、タービンハウジング４の内周面が微量ずつ削り取られる。
【００３５】
タービン１の振れ動き量は限られているので、内燃機関をある程度の期間（或いはある程度の時間）運転していると、タービン室５の内周の削り取りもやがて収束するが、削り取りを終えた後のタービン室５の内径は、ブレード２６が振れ動いてもつかえることのない最小限度の寸法になるため、タービン１とタービンハウジング４との間のクリアランスは、最小限度に形成される。従って、排気ガスの漏洩を極力防止して、高い過給効率を確保できる。
【００３６】
なお、削られて発生した切り粉は排気ガスの流れに乗って下流側に運ばれて、大部分は触媒に保持された状態になるといえる。従って、環境に悪影響を及ぼすことはないし、そもそも微量なので、排気管から大気に放出されても特段の問題は生じない。
【００３７】
本実施形態のように、タービンハウジング４と軸受けハウジング６を一体化すると、組み付けの誤差は無くなって回転軸２の振れ動きを僅かにできるため、クリアランスも小さくすることができる。従って、排気ガスの漏洩防止機能が一層高くなる。ブレード２６の外端面２６ａは傾斜しているため、外端面２６ａがタービン室５に面接触してブレード２６に過大な負荷が掛かることはない。従って、ブレード２６の変形や折損を防止できる。
【００３８】
また、タービンハウジング４は柔らかい金属であるアルミ製である一方、タービン１は硬い合金製であるため、タービン１によるタービン室５の切削を確実化できる。結局、軽量化のためにタービンハウジング４をアルミ製としたことを利用して、タービン１とタービン室５との間のクリアランスを、個体差を無くして最小寸法に設定できるのである。タービンハウジング４をアルミ製にした場合は、実施形態のように冷却水ジャケット１０を設けると、タービンハウジング４が熱害を受けることを防止できる。
【００３９】
(3).他の実施形態
図４に示す第２実施形態は、タービンハウジング４と軸受けハウジング６とを別体に製造して、図示しない固定具で一体に連結している。このようにタービンハウジング４と軸受けハウジング６とを別体に製造した場合は、タービン１は、排気出口１１に向けて外形が縮小する山形のものを使用できる。従って、この実施形態では、ブレード２６は、排気出口１１に向けて高さを低くしつつ、螺旋状の姿勢にねじれている。
【００４０】
そして、この実施形態でも、（Ｂ）に示すように、各ブレード２６は、軸心方向から見て回転方向に向けて前倒れ状態の姿勢になっており、外端面２６ａを傾斜させることにより、鋭角部２７を形成している。
【００４１】
（Ｃ）に示す例では、ブレード２６は、回転方向と反対側に向けて倒れた姿勢になっている。そこで、この場合は、ブレード２６の外端部に、クチバシ状の鋭角部２７を形成している。この場合も、ブレード２６の外端面２６ａは、回転方向と反対側に行くに従って軸心に近づくように傾斜している。なお、（Ｂ）及び（Ｃ）ではブレード２６は１枚しか表示していないが、実際には多数枚設けている。（Ｃ）の例は、タービンハウジング４と軸受けハウジング６とを一体化した場合も適用できる。
【００４２】
以上、本願発明の実施形態を説明したが、本願発明は、上記の他にも具体化できる。例えば、タービン室をタービンハウジングとは別部材で構成し、これをタービンハウジングに装着することも可能である。この場合は、例えばタービンハウジングは鋳鋼製としてタービンハウジングはアルミ製とすることも可能であるし、両者を、硬度等が異なるアルミで構成することも可能である。タービン室を別部材で構成する場合、タービン室はねじ等でタービンハウジングに固定することも可能であるし、タービンハウジングへの鋳込みで一体化することも可能である。タービンハウジングがアルミ製である場合、タービンは、例えば工具鋼程度の硬度があれば切削機能は十分であるといえる。
【産業上の利用可能性】
【００４３】
本願発明は、実際に排気ターボ過給機に具体化できる。従って、産業上利用できる。
【符号の説明】
【００４４】
１  タービン
２  回転軸
３  コンプレッサ
４  タービンハウジング
５  タービン室
６  軸受けハウジング
７  軸受け部
９  タービン側スクロール部
１０  冷却水ジャケット
１１  排気出口
１６  コンプレッサハウジング
２６  ブレード
２６ａ  外端面
２７  鋭角部
【図１】
2018071410.tif 000003
【図２】
2018071410.tif 000004
【図３】
2018071410.tif 000005
【図４】
2018071410.tif 000006